(57)【要約】【課題】使用者における画質劣化認識を抑え、かつ画面の焼き付けの抑制が可能な表示装置を提供する。【解決手段】信号処理部１０３は、表示部の水平方向には内挿処理を施し規定時間にて自発光表示部１０４における画像を移動させ、垂直方向にはライン単位で規定時間にて移動させる。又、ＯＳＤ特徴検出部１０１及び映像特徴検出部１０２にて検出された情報に応じて信号処理部１０３は移動処理方法を変更する。よって、画質劣化認識を抑えかつ画面の焼き付けの抑制が可能となる。【選択図】図１
2007212625.tif 000002
【特許請求の範囲】
【請求項１】
入力される映像信号と、オン・スクリーン・ディスプレイ信号（以下、ＯＳＤ信号）との両方又はいずれか一方を表示する表示装置であって、
自発光素子により画素が構成される自発光表示部と、
上記ＯＳＤ信号の特徴を検出するＯＳＤ特徴検出部と、
上記映像信号の特徴を検出する映像特徴検出部と、
上記映像信号及び上記ＯＳＤ信号が供給され、かつ上記ＯＳＤ特徴検出部及び上記映像特徴検出部からの信号が供給され上記自発光表示部に表示するための信号処理を施す信号処理部と、を備え、
ＯＳＤ特徴検出部からの信号により上記信号処理部は、映像を、ライン単位で垂直方向に規定時間単位にて移動させるとともに、水平方向に内挿処理を施し水平方向に規定時間単位にて移動させることを特徴とする表示装置。
【請求項２】
入力される映像信号と、オン・スクリーン・ディスプレイ信号（以下、ＯＳＤ信号）との両方又はいずれか一方を表示する表示装置であって、
自発光素子により画素が構成される自発光表示部と、
映像を撮影し上記映像信号を送出するカメラ部と、
上記ＯＳＤ信号の特徴を検出するＯＳＤ特徴検出部と、
上記映像信号及び上記ＯＳＤ信号が供給され、かつ上記ＯＳＤ特徴検出部及び上記映像特徴検出部からの信号が供給され上記自発光表示部に表示するための信号処理を施す信号処理部と、を備え、
ＯＳＤ特徴検出部からの信号により上記信号処理部は、映像を、ライン単位で垂直方向に規定時間単位にて移動させるとともに、水平方向に内挿処理を施し水平方向に規定時間単位にて移動させることを特徴とする表示装置。
【請求項３】
上記ＯＳＤ特徴検出部は、ＯＳＤ信号によるＯＳＤ領域の面積が規定値を超えているか否かを検出する面積比較部を有し、上記面積が規定値を超えているときには、上記信号処理部は、映像を、ライン単位で垂直方向に規定時間単位にて移動させるとともに、水平方向に内挿処理を施し、水平方向に規定時間単位にて移動させ、一方、上記面積が規定値を超えていないときには、上記信号処理部は、映像を、水平方向及び垂直方向に内挿処理を施し、水平方向及び垂直方向に規定時間単位にて移動させる、請求項１記載の表示装置。
【請求項４】
上記映像特徴検出部は、映像信号が動画状態であるかを検出する動画比較部を有し、上記動画比較部にて動画状態と判断されたときには、上記信号処理部は、上記自発光表示部に表示する映像を水平方向及び垂直方向に移動させるにあたり、映像が動画状態でない場合に比べて短い時間単位にて移動処理を行う、請求項１又は３に記載の表示装置。
【請求項５】
上記カメラ部は、映像信号が動画状態であることを出力する動画送出部を有し、上記動画送出部が動画状態であることを出力しているとき、上記信号処理部は、上記自発光表示部に表示する映像を水平方向及び垂直方向に移動させるにあたり、映像が動画状態でない場合に比べて短い時間単位にて移動処理を行う、請求項２記載の表示装置。
【請求項６】
上記信号処理部は、水平方向及び垂直方向の信号内挿処理を用いた移動処理において、画素単位以下の移動量単位にて映像を移動させ、かつ信号劣化が大きい部分では上記移動処理を第１時間単位にて行い、信号劣化が小さい部分では上記移動処理を上記第１時間単位よりも長い第２時間単位にて行う、請求項１から５いずれかに記載の表示装置。
【請求項７】
映像をライン単位で垂直方向に規定時間単位にて移動させる場合、上記自発光表示部の表示立上げに同期して、又は、当該表示装置の電源立上げ及び映像シーンの切り替わりに同期して移動させる、請求項１から３のいずれかに記載の表示装置。
【発明の詳細な説明】
【技術分野】
【０００１】
本発明は、自発光表示部を有する表示装置に関する。
【背景技術】
【０００２】
従来の表示装置及びその表示制御方法としては、例えば特許文献１に記載されるようなものがある。図９は、上記特許文献１に記載された従来の表示装置の構成を示している。図９に示すように、従来の表示装置では、入力部４１からの映像信号は、Ａ／Ｄ変換部４２にてデジタル信号に変換され、該デジタル信号は、信号処理／同期制御部４３で所要の信号処理及び同期制御等が行なわれて、表示部４４に供給され、画像が表示される。又、Ａ／Ｄ変換部４２からの上記デジタル信号は、ＡＰＬ検出部４８に供給されて平均輝度レベルが検出される。該平均輝度レベルは、制御部５１を介してメモリ部４９に記憶されるとともに、判別部５０にも供給される。又、制御部５１は、メモリ部４９から上記平均輝度レベルを読み出し、判別部５０に入力する。判別部５０は、メモリ部４９に記録される上記平均輝度レベルと比較してその差を判別する。この差が無い場合には、制御部５１は静止画状態と判断し、記憶部４５より読み出したプログラムに基づいて、タイマー４６で計時を開始する。所要時間の経過にて、制御部５１は、表示位置制御部４７に制御信号を出力し、表示位置制御部４７を介し信号処理／同期制御部４３を制御し、画像の表示位置を左右方向及び上下方向に所要画素数分移動させる。
【０００３】
図１０は、従来例における表示位置移動状態を示す図である。図示するように従来では、画像の表示位置を左右方向及び上下方向に１画素単位で移動させる。このようにして、固定表示パターンが長時間出力されることにより生じる焼き付けの抑制が図られている。
【特許文献１】特開平８−２４８９３４号公報
【発明の開示】
【発明が解決しようとする課題】
【０００４】
しかしながら、従来の構成及び制御方法では、使用者側から見た場合、画素単位での画像の表示位置の移動は、著しい違和感を伴う。又、移動単位を画素単位以下に内挿処理して画像を移動させたとしても、水平方向に比べて画素データの少ない垂直方向への移動は、例えばメニュー画面等において画質劣化が顕著なものとなる。
本発明は、上述したような従来の問題点を解決するもので、使用者における画質劣化認識を抑え、かつ画面の焼き付けの抑制が可能な表示装置を提供することを目的とする。
【課題を解決するための手段】
【０００５】
上記目的を達成するため、本発明は以下のように構成する。
即ち、本発明の第１態様における表示装置は、入力される映像信号と、オン・スクリーン・ディスプレイ信号（以下、ＯＳＤ信号）との両方又はいずれか一方を表示する表示装置であって、
自発光素子により画素が構成される自発光表示部と、
上記ＯＳＤ信号の特徴を検出するＯＳＤ特徴検出部と、
上記映像信号の特徴を検出する映像特徴検出部と、
上記映像信号及び上記ＯＳＤ信号が供給され、かつ上記ＯＳＤ特徴検出部及び上記映像特徴検出部からの信号が供給され上記自発光表示部に表示するための信号処理を施す信号処理部と、を備え、
ＯＳＤ特徴検出部からの信号により上記信号処理部は、映像を、ライン単位で垂直方向に規定時間単位にて移動させるとともに、水平方向に内挿処理を施し水平方向に規定時間単位にて移動させることを特徴とする。
【０００６】
又、本発明の第２態様における表示装置は、入力される映像信号と、オン・スクリーン・ディスプレイ信号（以下、ＯＳＤ信号）との両方又はいずれか一方を表示する表示装置であって、
自発光素子により画素が構成される自発光表示部と、
映像を撮影し上記映像信号を送出するカメラ部と、
上記ＯＳＤ信号の特徴を検出するＯＳＤ特徴検出部と、
上記映像信号及び上記ＯＳＤ信号が供給され、かつ上記ＯＳＤ特徴検出部及び上記映像特徴検出部からの信号が供給され上記自発光表示部に表示するための信号処理を施す信号処理部と、を備え、
ＯＳＤ特徴検出部からの信号により上記信号処理部は、映像を、ライン単位で垂直方向に規定時間単位にて移動させるとともに、水平方向に内挿処理を施し水平方向に規定時間単位にて移動させることを特徴とする。
【０００７】
又、上記第１態様において、上記ＯＳＤ特徴検出部は、ＯＳＤ信号によるＯＳＤ領域の面積が規定値を超えているか否かを検出する面積比較部を有し、上記面積が規定値を超えているときには、上記信号処理部は、映像を、ライン単位で垂直方向に規定時間単位にて移動させるとともに、水平方向に内挿処理を施し、水平方向に規定時間単位にて移動させ、一方、上記面積が規定値を超えていないときには、上記信号処理部は、映像を、水平方向及び垂直方向に内挿処理を施し、水平方向及び垂直方向に規定時間単位にて移動させることもできる。
【０００８】
又、上記第１態様において、上記映像特徴検出部は、映像信号が動画状態であるかを検出する動画比較部を有し、上記動画比較部にて動画状態と判断されたときには、上記信号処理部は、上記自発光表示部に表示する映像を水平方向及び垂直方向に移動させるにあたり、映像が動画状態でない場合に比べて短い時間単位にて移動処理を行うこともできる。
【０００９】
又、上記第２態様において、上記カメラ部は、映像信号が動画状態であることを出力する動画送出部を有し、上記動画送出部が動画状態であることを出力しているとき、上記信号処理部は、上記自発光表示部に表示する映像を水平方向及び垂直方向に移動させるにあたり、映像が動画状態でない場合に比べて短い時間単位にて移動処理を行うこともできる。
【００１０】
又、上記第１態様及び第２態様において、上記信号処理部は、水平方向及び垂直方向の信号内挿処理を用いた移動処理において、画素単位以下の移動量単位にて映像を移動させ、かつ信号劣化が大きい部分では上記移動処理を第１時間単位にて行い、信号劣化が小さい部分では上記移動処理を上記第１時間単位よりも長い第２時間単位にて行うこともできる。
【００１１】
又、上記第１態様及び第２態様において、映像をライン単位で垂直方向に規定時間単位にて移動させる場合、上記自発光表示部の表示立上げに同期して、又は、当該表示装置の電源立上げ及び映像シーンの切り替わりに同期して移動させることもできる。
【発明の効果】
【００１２】
上述した本発明の第１態様及び第２態様によれば、表示されている画像を状態に応じて移動させることで、使用者側の画質劣化認識を抑え、画面表示による焼き付け抑制を図るという格別な効果を奏する。
【発明を実施するための最良の形態】
【００１３】
本発明の実施形態である表示装置及び該表示装置にて実行される表示制御方法について、図を参照しながら以下に説明する。尚、各図において、同一又は同様の構成部分については同じ符号を付している。
【００１４】
図１は、本発明の第１実施形態における表示装置１００の構成の概略を示すブロック図である。図１に示すように、表示装置１００は、入力される映像信号１９１とＯＳＤ（オン・スクリーン・ディスプレイ）信号１９２との両方又はいずれか一方を表示する表示装置であり、自発光素子により画素が構成される自発光表示部１０４と、ＯＳＤ信号１９２の特徴を検出するＯＳＤ特徴検出部１０１と、映像信号１９１の特徴を検出する映像特徴検出部１０２と、自発光表示部１０４に表示するための信号処理を施す信号処理部１０３とを備えた構成となっている。
【００１５】
図２は、自発光表示部１０４における画像の移動処理状態を示す図である。この例では、水平方向には、内挿処理を施す。移動重心の単位は１画素以内の単位、例えば１画素を６４分割程度にして移動状態が使用者に認識できない程度にする。垂直方向には、１ライン単位で移動させ、垂直方向移動における画像劣化が発生しないようにする。このような動作は、信号処理部１０３にて行われる。尚、内挿処理については、図８Ａ及び図８Ｂを参照して後述する。
【００１６】
図３は、ＯＳＤ特徴検出部１０１の構成例を示す図である。ＯＳＤ特徴検出部１０１に供給されるＯＳＤ信号１９２は、ＲＧＢ各色のレベルを表すＯＳＤ＿Ｒ信号１９２１、ＯＳＤ＿Ｇ信号１９２２、及びＯＳＤ＿Ｂ信号１９２３と、ＯＳＤの表示部分を表すＯＳＤエリア情報１９２４とで構成されている。又、ＯＳＤ特徴検出部１０１は、図示するように、エリア面積算出部１０１１と比較部１０１２とを有する。このようなＯＳＤ特徴検出部１０１は、ＯＳＤエリア情報１９２４がオンの部分では、映像信号１９１をＯＳＤ信号１９２に置き換える。このとき、ＯＳＤ特徴検出部１０１は、映像信号１９１の全てを置き換えることなく、映像信号１９１のレベルを下げて、ＯＳＤ信号１９２を映像信号１９１に重畳させる場合もある。
【００１７】
エリア面積算出部１０１１は、ＯＳＤエリア情報１９２４に基づきＯＳＤ表示エリアの面積を算出する。算出された面積は、面積比較部としての一例である比較部１０１２にて、規定値と比較される。このとき、算出されたＯＳＤ表示エリアの面積が規定面積値を超えていると判断された場合、ＯＳＤ特徴検出部１０１は、超えていることを判断情報として信号処理部１０３に対して出力する。
【００１８】
図４は、映像特徴検出部１０２の構成例を示す図である。図４では、画面内に三つのエリアを設ける。映像特徴検出部１０２は、画面内の前回フィールド１０２１における三つのエリアａ，エリアｂ，エリアｃ内の平均輝度、又はＲＧＢ個別の平均輝度を検出する。次に、映像特徴検出部１０２は、画面内の現在のフィールド１０２２における三つのエリアＡ，エリアＢ，エリアＣ内の平均輝度、又はＲＧＢ個別の平均輝度の検出を同様に行う。そして、例えばエリアａとエリアＡとのように、対応するエリア同士で規定幅を超える変化があるか否かを、映像特徴検出部１０２に備わり動画比較部としての一例である比較部１０２３により判定する。そして、上記規定幅を超える変化がある場合には、映像特徴検出部１０２は、動画状態であると判断し、判断情報を信号処理部１０３に対して出力する。
【００１９】
以上のように構成される第１実施形態における表示装置１００の動作について以下に説明する。
図５は、本第１実施形態における表示装置１００の動作フロー例を示す図である。ステップＳ１では、ＯＳＤ特徴検出部１０１のエリア面積算出部１０１１は、ＯＳＤ領域が占める面積を算出する。ステップＳ２では、ＯＳＤ特徴検出部１０１の比較部１０１２は、算出された上記面積が規定値を超えているか否かを判断し、超えていない場合には、ステップＳ３にて、信号処理部１０３は、ＯＳＤ信号１９２のＯＳＤエリア信号１９２４を水平方向及び垂直方向に内挿処理を施して表示位置を移動させる。一方、ＯＳＤ領域面積が規定値を超えている場合、ステップＳ４にて、信号処理部１０３は、ＯＳＤエリア信号１９２４について水平方向は内挿処理移動させ、垂直方向は一ライン単位で移動させる。尚、内挿処理については、図８Ａ及び図８Ｂを参照して後述する。
【００２０】
次のステップＳ５では、映像特徴検出部１０２は、映像がカメラズームやパーンなどの動画状態か否かを検出し、動画状態である場合には、ステップＳ６にて、信号処理部１０３は、水平及び垂直方向に短い時間単位で表示位置移動を施す。一方、動画状態でない場合には、ステップＳ７にて、水平及び垂直方向に長い時間単位で表示位置移動を施す。
【００２１】
ここで、移動時間単位の長、短とは以下の意味である。即ち、動画状態でありステップＳ６にて実行される表示位置移動の時間単位を第１移動時間単位とすると、動画状態ではないステップＳ７にて実行される表示位置移動の時間単位は、上記第１時間単位よりも長い第２時間単位とする。このように、相対的に移動時間単位の長、短を決定することができる。
【００２２】
上述の動作によれば、例えばメニュー画面のように、ＯＳＤ面積が多い場合のように使用者にとって表示位置移動処理による画質劣化が見え易い状態では、垂直方向には一ライン単位で移動させて画質劣化認識の抑制を施す。又、映像に動きがあるような、使用者の画像劣化認識度が低い状態では、積極的に表示位置移動をさせることにより、画面の焼き付け劣化を抑制することができる。
【００２３】
次に、上記第１実施形態における表示装置１００の別の構成例である第２実施形態の表示装置について説明する。
図６は、上記第２実施形態の表示装置１１０を示すブロック図である。図６に示すように、表示装置１１０は、供給される映像信号１９１とＯＳＤ信号１９２との両方、又はいずれか一方を表示する表示装置であって、自発光素子により画素が構成される自発光表示部１０４と、映像を撮影するカメラ部１０５と、ＯＳＤ信号１９２の特徴を検出するＯＳＤ特徴検出部１０１と、自発光表示部１０４に画像を表示するための信号処理を施す信号処理部１０３とを備えた構成となっている。
【００２４】
このように構成される表示装置１１０の動作について以下に説明する。
図７は、表示装置１１０の動作フローの一例を示している。ステップＳ１１では、ステップＳ１と同様に、ＯＳＤ特徴検出部１０１のエリア面積算出部１０１１は、ＯＳＤ領域が占める面積を算出する。ステップＳ１２では、ステップＳ２と同様に、ＯＳＤ特徴検出部１０１の比較部１０１２は、算出された上記面積が規定値を超えているか否かを判断し、超えていない場合には、ステップＳ１３にて、ステップＳ３と同様に信号処理部１０３は、ＯＳＤ信号１９２のＯＳＤエリア信号１９２４を水平方向及び垂直方向に内挿処理を施して表示位置を移動させる。一方、ＯＳＤ領域面積が規定値を超えている場合、ステップＳ１４にて、ステップＳ４と同様に信号処理部１０３は、ＯＳＤエリア信号１９２４について水平方向は内挿処理移動させ、垂直方向は一ライン単位で移動させる。尚、内挿処理については、図８Ａ及び図８Ｂを参照して後述する。
【００２５】
次のステップＳ１５では、カメラ部１０５から、映像がカメラズームやパーンなどの動画状態か否かの情報が、信号特徴情報１９３として信号処理部１０３へ出力される。尚、上記動画状態か否かの情報は、カメラ部１０５に備わる動画送出部１０５１から送出される。動画状態である場合には、ステップＳ１６にて、ステップＳ６と同様に信号処理部１０３は、水平及び垂直方向に短い時間単位で表示位置移動を施す。一方、動画状態でない場合には、ステップＳ１７にて、ステップＳ７と同様に水平及び垂直方向に長い時間単位で表示位置移動を施す。尚、移動時間単位の長、短については、上述の表示装置１００の場合と同様に、相対的な移動時間単位の長、短である。
【００２６】
上述の動作によれば、メニュー画面のようにＯＳＤ面積が多い場合のように使用者にとって表示位置移動処理による画質劣化が見え易い状態では、垂直方向には一ライン単位で移動させて画質劣化認識の抑制を施す。また、映像に動きがあるような、使用者の画像劣化認識度が低い状態では、積極的に表示位置移動をさせることにより、画面の焼き付け劣化を抑制することができる。
【００２７】
又、上述の表示装置１００及び表示装置１１０において、映像をライン単位で垂直方向に規定時間単位にて移動させる場合、自発光表示部１０４の表示立上げに同期して、又は、当該表示装置１００，１１０の電源立上げ及び映像シーンの切り替わりに同期して、映像を垂直方向に移動させてもよい。
【００２８】
図８Ａ及び図８Ｂは、表示位置移動処理の内挿処理（信号補間）例を示している。図８Ａは、４つの近傍の映像データＡ１〜Ａ４に基づいて、重心をその間に持つ信号Ｚを作り出している状態を示す。信号Ｚを作る方法としては、このような線形近似や、３次畳込み補間などが採用される。ＲＧＢデータ個別の場合は、個別に算出される。重心位置の移動単位を細かくしてやることにより、移動させた場合の認識度を低くすることが可能となる。
【００２９】
図８Ｂは、移動時間単位の増減に関する処理を説明した図である。斜線部分１９４は、基となる信号データと重心位置が近い状態であり、信号補間した場合の劣化度合いが比較的低い範囲である。一方、移動させる重心位置が基となる信号データから遠い場合、信号劣化が大きくなり、使用者にとって劣化認識が高くなる。そこで、斜線部分１９４では、移動時間単位を長くし、それ以外の範囲では移動時間単位を短くすることにより、使用者の劣化認識を抑制することが可能となる。ここで、移動時間単位の長、短とは以下の意味である。即ち、上述した移動させる重心位置が基となる信号データから遠い場合、つまり信号劣化が大きくなる場合に対する移動時間単位を第１移動時間単位とすると、斜線部分１９４つまり信号劣化が小さい場合に対する移動時間単位は、上記第１時間単位よりも長い第２時間単位とする。このように、相対的に移動時間単位の長、短を決定することができる。
【００３０】
以上、説明したように本実施形態によれば、使用者側の画質劣化認識を抑えつつ、自発光表示部における表示焼き付け劣化を抑制する表示装置を提供することができる。
【産業上の利用可能性】
【００３１】
本発明にかかる焼き付けを抑制する表示装置及びその制御方法は、表示されている画像を状態に応じて移動させることで、使用者側の画質劣化認識を抑え、画面表示による焼き付け抑制を図るという格別な効果を奏するので、入力される映像信号及びＯＳＤ信号を自発光素子により構成された表示部に表示する表示装置等として有用である。
【図面の簡単な説明】
【００３２】
【図１】本発明の第１実施形態における表示装置の構成の概略を示すブロック図。
【図２】図１に示す表示装置における表示位置移動状態を示す図。
【図３】図１に示すＯＳＤ特徴検出部の構成例を示す図。
【図４】図１に示す映像特徴検出部の構成例を示す図。
【図５】図１に示す表示装置における表示位置制御の動作フロー例を示す図。
【図６】図１に示す表示装置の別の構成例を示すブロック図。
【図７】図６に示す表示装置における動作フロー例を示す図。
【図８Ａ】図１及び図６に示す表示装置における表示位置の移動処理の信号補間例を示す図。
【図８Ｂ】図１及び図６に示す表示装置における表示位置の移動処理の信号補間例を示す図。
【図９】従来の表示装置の構成の概略を示すブロック図。
【図１０】従来の表示位置移動状態を示す図。
【符号の説明】
【００３３】
１００…表示装置、１０１…ＯＳＤ特徴検出部、１０２…映像特徴検出部、
１０３…信号処理部、１０４…自発光表示部、１０５…カメラ部、
１０１２…比較部、１０２３…比較部。
【図１】
2007212625.tif 000003
【図２】
2007212625.tif 000004
【図３】
2007212625.tif 000005
【図４】
2007212625.tif 000006
【図５】
2007212625.tif 000007
【図６】
2007212625.tif 000008
【図７】
2007212625.tif 000009
【図８Ａ】
2007212625.tif 000010
【図８Ｂ】
2007212625.tif 000011
【図９】
2007212625.tif 000012
【図１０】
2007212625.tif 000013